(57)【要約】      （修正有）【課題】自動回転式ごみ箱のフリップカバーを提供する。【解決手段】主に本体１０と、駆動機構２０と、フリップカバー３０からなる。該本体には該駆動機構を設け、該駆動機構は、電源に接続されるプリント回路板２１と、モーター２２と、伝動装置２３とを含む。該プリント回路板によってモーターを駆動する。該モーターによって、該伝動装置を制御する。該フリップカバー３０は第１端と第２端とを含み、第１端に連動部３２を設け、両端部の間に回動軸を設ける。該連動部は該伝動装置に連動され、該フリップカバーは該回動軸を心軸として回転する。【選択図】図４
0003159802.tif 000002
【実用新案登録請求の範囲】
【請求項１】
本体と、駆動機構と、フリップカバーと、を含む自動回転式ごみ箱のフリップカバーであって、
前記本体には、駆動機構を設け、
前記駆動機構は電源に接続されるプリント回路板と、モーターと、伝動装置とを含み、前記プリント回路板によって前記モーターを駆動させ、前記モーターによって前記伝動装置を制御させ、
前記フリップカバーは第１端と第２端とを含み、前記第１端に連動部を設け、前記第１端と前記第２端の間に回動軸を設け、前記連動部は前記伝動装置によって連動され、前記フリップカバーは前記回動軸を軸心として回転することができることを特徴とする、自動回転式ごみ箱のフリップカバー。
【請求項２】
前記回動軸両側の重量は等しいであることを特徴とする、請求項１に記載の自動回転式ごみ箱のフリップカバー。
【請求項３】
前記フリップカバーは仮想軸を有し、前記仮想軸は前記回動軸に対して垂直されるとともに、前記フリップカバーの中心点を通過し、前記仮想軸の２分の１の長さは前記フリップカバーを回転するときの抵抗アームの長さであることを特徴とする、請求項２に記載の自動回転式ごみ箱のフリップカバー。
【請求項４】
前記本体には、第１枢設部を設け、前記伝動装置は前記第１枢設部に位置されることを特徴とする請求項１乃至３のいずれか１項に記載の自動回転式ごみ箱のフリップカバー。
【請求項５】
前記本体には、第２枢設部を設け、
前記フリップカバーの第２端には、第３枢設部を設け、
前記フリップカバーの前記第３枢設部は前記本体の前記第２枢設部に枢設され、前記フリップカバーは固定部材を含み、前記固定部材によって前記第３枢設部に結合され、前記固定部材は少なくとも一つの固定部を含み、
さらに前記本体に開口部を設けるとともに、前記本体の周辺端部と前記開口部との間に当接部を設け、前記固定部は前記当接部に当接できることを特徴とする、請求項４に記載の自動回転式ごみ箱のフリップカバー。
【請求項６】
前記固定部材は制限部を有し、前記本体の周辺端部と前記開口部との間にはさらに抜け出し防止部を設け、前記当接部が前記第２枢設部の遠端に設けられ、前記抜け出し防止部によって、前記本体から前記制限部の抜け出しを制限することを特徴とする、請求項５に記載の自動回転式ごみ箱のフリップカバー。
【請求項７】
前記開口部の周縁には、前記開口部向きに係止部が突設され、前記係止部は前記開口部に位置され、前記係止部は前記フリップカバーの逆転を防止できることを特徴とする、請求項５に記載の自動回転式ごみ箱のフリップカバー。
【請求項８】
前記伝動装置は制御軸を含み、前記制御軸は前記第１枢設部に位置され、前記連動部が前記制御軸に装入され、前記制御軸によって前記連動部を制御して回動することによって、前記フリップカバーを回転させ、前記連動部は多角形の孔を有し、前記制御軸の周りに多数の歯部が設けられ、かつ前記連動部は前記歯部へ装入するのに適することを特徴とする、請求項５に記載の自動回転式ごみ箱のフリップカバー。
【請求項９】
さらに保護キャップを含み、前記保護キャップ内部表面の両端部に２つの凹面をそれぞれ設け、２つの前記凹面は前記本体の第１枢設部と第２枢設部にそれぞれ対応し、前記伝動装置は制御軸を含み、前記制御軸は前記第１枢設部に位置され、前記連動部を前記制御軸に装入させ、前記制御軸によって、前記連動部を制御して回転させることによって、前記フリップカバーを回転させ、一方の前記凹面によって、前記制御軸を制限し、他方の凹面によって、前記第３枢設部を制限し、前記保護キャップは前記本体から前記フリップカバーの抜け出しを防止できることを特徴とする、請求項５に記載の自動回転式ごみ箱のフリップカバー。
【請求項１０】
前記ごみ箱のフリップカバーは誘導式、タッチ式検出またはその他検出方式に適することを特徴とする請求項１乃至３のいずれか１項に記載の自動回転式ごみ箱のフリップカバー。
【考案の詳細な説明】
【技術分野】
【０００１】
本考案は一種の自動回転式ごみ箱のフリップカバーに関し、特に一種の回動軸を中間部に取り付けられた自動回転式ごみ箱のフリップカバーに関する。
【背景技術】
【０００２】
使用者の手をごみ箱に触れることなく、カバーを引き上げてゴミを捨てることができる自動回転式フリップカバー付きごみ箱は、一定の市場を有する。しかし、従来の自動回転式フリップカバー付きごみ箱には一つの欠点がある。つまり、その空間が狭いため、大きいトルクのモーターを取り付けることができない。一方、小さいトルクのモーターを取り付けると、トルク不足の欠点が残る。さらに、モーターを不適切なトルクと大きい負荷で長期回転させると、モーターの寿命が短縮したり、故障しやすくしたりするという問題がある。また、モーターに連動する歯車も破損または歯崩れの恐れがある。それに加えて、モーターは電気消費が多いため、電気代を有効に軽減することができない。
【先行技術文献】
【特許文献】
【０００３】
【特許文献１】台湾特許第Ｍ３１７４２３号明細書
【考案の概要】
【考案が解決しようとする課題】
【０００４】
特許文献１には、検出モードと手動モードを切り替え可能な「検出型ごみ箱の改良」が開示されている。そのうち、手動モードは従来の手動による蓋引き上げ方式であるため、その説明を省略する。検出型ごみ箱カバーは上蓋と、組合せ蓋と、伝動装置と、台座と弾性部材とからなる。検出モードとは、モーターによって歯車機構を駆動し、歯車機構によって支えブロックを駆動して、上蓋を突き上げて上蓋を引き上げる。
【０００５】
従来技術の検出型ごみ箱は上蓋を引き上げる設計であり、歯を備えた支えブロックを上蓋に固定して該支えブロックの歯を歯車機構の歯と噛み合わせて、歯車機構はモーターによって駆動されると、支えブロックの歯を回動させ、上蓋を上へ引き上げる目的を実現している。
【０００６】
従来の技術において、歯車機構は支えブロックによって上蓋を引き上げられている。通常、上蓋は組合せ蓋に被せられており、上蓋に対向する両端部は、上蓋と支えブロックの固定箇所および上蓋と組合せブロックとの接触箇所である。該両端部の距離は、すなわち、上蓋は支えブロックが歯車機構によって引き上げる抵抗アームの距離である。このような検出型ごみ箱は、モーターの心軸と歯車機構をごみ箱の限られた空間に取り付けているため、モーメントアームが小さく、抵抗アームが大きな力を加える方式では、モータートルクが小さく、負荷が大きな欠点が残り、焼損の恐れがしばしば見受けられる。本考案者は従来技術の問題点について、一種の壊れにくいごみ箱カバーの研究と開発に成功した。
【課題を解決するための手段】
【０００７】
本考案の主な技術手段は、フリップカバーを回転するときのバランスが取れるように、フリップカバーの回動軸両側の重量を同じ設けると共に、モーターが比較的小さいトルク出力でフリップカバーを回転させても、伝送装置は大きいトルク稼働で破損する恐れがなくなり、省電力の要求を満足し壊れにくいごみ箱カバーを提供できることである。
【０００８】
本考案の次の技術手段は、抵抗アームを２分の１の長さに短縮することにより、モーターを低いトルク出力で稼働させ、伝動装置は大きいトルク稼働によって破損の恐れをなくすと共に省電力の要求を満足し、壊れにくいごみ箱カバーを提供できることである。
【０００９】
本考案のまた一つの技術手段は、フリップカバーの引き上げ位置と閉合位置とも本体の当接部に制限しておき、該当接部によって、フリップカバーの本体に対する引き上げ角度と、フリップカバーの閉合位置とを制限できる。
【００１０】
本考案のさらに一つの技術手段は、本体の周縁に備えた係止部によって、フリップカバーを本体に閉合するときに、該フリップカバーを係止部により係止して置き、フリップカバーの逆転を有効に防止できる。
【００１１】
本考案のまた一つの技術手段は、本体に保護キャップを設け、該保護キャップがごみ箱カバーを外部への露出や粉塵による汚染から保護できるほか、保護キャップによってフリップカバーの本体から抜け出しを有効に防止できる。
【考案の効果】
【００１２】
本考案の自動回転式ごみ箱のフリップカバーによれば、以下のような効果がある。
＜イ＞本考案の自動回転式ごみ箱のフリップカバーは、フリップカバーを回転するときのバランスが取れるように、フリップカバーの回動軸両側の重量を同じ設けると共に、モーターは比較的小さいトルク出力でフリップカバーを回転させても、伝送装置は大きいトルク稼働で破損する恐れがなくなり、省電力の要求を満足し壊れにくいごみ箱カバーを提供できる。
【００１３】
＜ロ＞本考案の自動回転式ごみ箱のフリップカバーは、抵抗アームを２分の１の長さに短縮することによりモーターを低いトルク出力で稼働させ、伝動装置は大きいトルク稼働によって破損の恐れをなくすと共に省電力の要求を満足し、壊れにくいごみ箱カバーを提供できる。
【００１４】
＜ハ＞本考案の自動回転式ごみ箱のフリップカバーは、フリップカバーの引き上げ位置と閉合位置とも本体の当接部に制限しておき、該当接部によってフリップカバーの本体に対する引き上げ角度と、フリップカバーの閉合位置とを制限できる。
【００１５】
＜ニ＞本考案の自動回転式ごみ箱のフリップカバーは、本体の周縁に備えた係止部によって、フリップカバーを本体に閉合するときに、該フリップカバーを係止部によって係止して置き、フリップカバーの逆転を有効に防止できる。
【００１６】
＜ホ＞本考案の自動回転式ごみ箱のフリップカバーは、本体に保護キャップを設け、該保護キャップはごみ箱カバーを外部への露出や粉塵による汚染から保護できるほか、保護キャップによってフリップカバーの本体から抜け出しを有効に防止できる。
【図面の簡単な説明】
【００１７】
【図１】本考案の自動回転式ごみ箱のフリップカバーのごみ箱が閉合状態の立体外観図である。
【図２】本考案の自動回転式ごみ箱のフリップカバーのごみ箱が引き上げ状態の立体外観図である。
【図３】本考案の自動回転式ごみ箱のフリップカバーのごみ箱の立体分解図である。
【図４】本考案の自動回転式ごみ箱のフリップカバーの立体分解図である。
【図５】本考案の自動回転式ごみ箱のフリップカバーのもう一つの視角からの立体分解図である。
【図６】本考案の自動回転式ごみ箱のフリップカバーの制御軸と連動部を示す局所断面図である。
【図７】本考案の自動回転式ごみ箱のフリップカバーの固定部材の第１制限部が当接部に当接された状態の断面視図である。
【図８】本考案の自動回転式ごみ箱のフリップカバー回動軸を示す態様図である。
【図９】本考案の自動回転式ごみ箱のフリップカバーの抵抗アームを示す態様図である。
【図１０】本考案の自動回転式ごみ箱のフリップカバーを回転されたときの態様図である。
【図１１】本考案の自動回転式ごみ箱のフリップカバーの固定部材の第２制限部が当接部に当接された状態の態様図である。
【考案を実施するための形態】
【実施例１】
【００１８】
本考案による技術、手段ならびに効果は、好ましい実施例と図式を合わせて、以下の通り説明する。ただし、これらは説明を目的とし、本考案の請求範囲はこれらの構造に制限されるものではない。
【００１９】
図１と図２には、本考案の自動回転式ごみ箱のフリップカバーの立体外観図と立体分解図をそれぞれ示す。本考案の自動回転式ごみ箱のフリップカバーは自動回転式ごみ箱のフリップカバー１と、ごみ箱胴部２とを含む。該自動回転式ごみ箱のフリップカバー１はフリップカバー３０を有し、該フリップカバー３０を自動回転によって、ごみ箱を閉合状態または引き上げ状態にすることができる。
【００２０】
図３には、本考案の自動回転式ごみ箱のフリップカバーのごみ箱の立体分解図を示す。該自動回転式ごみ箱のフリップカバー１は該ごみ箱胴部２の開口端に結合され、かつ該自動回転式ごみ箱のフリップカバー１では該ごみ箱胴部２の反対端に保護キャップ４０を設け、該保護キャップ４０は該自動回転式ごみ箱のフリップカバー１に固定および結合させることによって、該自動回転式ごみ箱のフリップカバー１を露出または粉塵による汚染から保護できる。
【００２１】
図４と図５には、本考案の自動回転式ごみ箱のフリップカバーの立体分解図を合わせて示す。本考案の自動回転式ごみ箱のフリップカバー１は本体１０と、駆動機構２０と、フリップカバー３０と保護キャップ４０とを含む。
【００２２】
該本体１０には開口部１１を設け、該本体１０の開口部１１の周縁１１１に第１枢設部１２と第２枢設部１３とが対向して設けられ、２つの該枢設部１２、１３は凹面状を形成する。該本体１０の開口部１１の周縁には該開口部１１向きに係止部１４が突設され、該係止部１４は該開口部１１の内部に位置される。該本体１０の開口部１１の周縁と該開口部１１との間には、結合部１５と当接部１６と抜け出し防止部１７とを設け、該結合部１５は該第１枢設部１２の付近場所に取付けられ、該結合部１５に電源３を設け、かつ該結合部１５は該駆動機構２０に結合することができる。該当接部１６と該抜け出し防止部１７は該第２枢設部１３の付近場所に取付けられ、かつ該当接部１６は該第２枢設部１３と該抜け出し防止部１７との間に取り付けられている。つまり、該抜け出し防止部１７は該当接部１６が第２枢設部１３の遠端に取り付けられている。
【００２３】
該駆動機構２０は該本体１０の結合部１５に設けられ、該駆動機構２０は電源３に接続されるプリント回路板２１と、モーター２２と、伝動装置２３とセンサー装置（図示せず）とを含む。センサー装置は熱センサー、タッチセンサーまたはその他検出方式であっても良い。該センサー装置によって、信号を該プリント回路板２１に転送する。該プリント回路板２１によって、該モーター２２が駆動される。該モーター２２によって、該伝動装置２３を制御し、該伝動装置２３は該モーター２２の心軸の連動によって回動する。該伝動装置２３は制御軸２３１を有し、該制御軸２３１の周りに多数の歯部２３２が繞設されている。該伝動装置２３の制御軸２３１は該第１枢設部１２に位置される。
【００２４】
該フリップカバー３０に対向する両端部には、ラグ３１がそれぞれ形成され、２つの該ラグ３１に連動部３２、第３枢設部３３と固定部材３４とをそれぞれ設ける。該第３枢設部３３と該固定部材３４は該連動部３２の他端に取り付けられる。該連動部３２は該伝動装置２３によって連動し、該フリップカバー３０を回転させる。該連動部３２は多角形の孔を形成し、該歯部２３２への装入に適する。該連動部３２は該伝動装置２３の制御軸２３１（図６を参照。）に装入し、該制御軸２３１によって、該連動部３２の回動を制御して該フリップカバー３０を回転させる。該第３枢設部３３の末端部に結合端３３１を形成し、該固定部材３４によって、該第３枢設部３３に結合され、該固定部材３４は一つの結合部３４１と、２つの固定部３４２、３４３と制限部３４４（図７を参照。）とを含む。該フリップカバー３０は閉合の位置にあるとき、該第１固定部３４２によって、該当接部１６に当接され、該結合端３３１は該本体１０の第２枢設部１３に位置され、かつ該固定部材３４の結合部３４１に固定される。該フリップカバー３０を回転するときに、該２つの固定部３４２、３４３は選択によって該当接部１６に当接され、該抜け出し防止部１７によって該制限部３４４を該本体１０からの抜け出しが制限されている。
【００２５】
図８には本考案の自動回転式ごみ箱のフリップカバーの断面視図を示す。保護キャップ４０を該本体１０に被せ、該保護キャップ４０を該本体１０（図３を参照。）に固定させ、該保護キャップ４０内部表面の両端部に凹面４１をそれぞれ設ける。２つの該凹面４１は該本体１０の２つの枢設部１２、１３にそれぞれ対応する。該保護キャップ４０のうち一つの凹面４１によって、該制御軸２３１を制限し、該保護キャップ４０のもう一つの凹面は一凹部４１によって該第３枢設部３３を制限する。該保護キャップ４０は該フリップカバー３０の該本体１０を抜け出すことを有効に防止できる。
【００２６】
該フリップカバー３０は該駆動機構２０の駆動により、該本体１０に対して回動される。該駆動機構２０の制御軸２３１を該フリップカバー３０の連動部３２に穿設させ、該センサー装置により、使用者によるごみ投入を検出させる。該プリント回路板２１により、該モーター２２の回転を制御する。該モーター２２によって、該伝動装置２３を回転させる。該制御軸２３１によって、該連動部３２を連動する。該フリップカバー３０の第３枢設部３３によって、該固定部材３４の同期回動を連動する。
【００２７】
該フリップカバー３０の連動部３２と第３枢設部３３との間には回動軸Ａを設け、該フリップカバー３０は該回動軸Ａを軸心として回転することにより、該フリップカバー３０は大きなトルクのモーターではなく、小さいトルクのモーターで伝動装置２３を駆動させ、フリップカバー３０を回転することができる。省電力消費の要求を満足できるほか、フリップカバー３０が回転するときにバランスが取れる。
【００２８】
回動軸Ａ両側の重量は等しく設けることによって、最適な効果を実現できる。小さいトルクのモーター駆動と低消費電力の要求を満足し、フリップカバー３０が回転するときにバランスが取れる。
【００２９】
図９と図１０には、本考案の自動回転式ごみ箱のフリップカバーの稼働態様図を示す。フリップカバー３０を回転するときに、該フリップカバー３０は該回動軸Ａを支点として回転される。該フリップカバー３０はさらに仮想軸Ｂを有し、該仮想軸Ｂは該回動軸Ａに対して垂直し、かつ該仮想軸Ｂは該フリップカバー３０の中心点を通過し、２分の１の仮想軸Ｂの長さは該フリップカバー３０が回転するときの抵抗アームＬとなる。本考案の抵抗アームＬは仮想軸Ｂの２分の１長さに過ぎない。つまり、大きなトルクのモーターではなく、小さいトルクのモーターで伝動装置２３を駆動し、フリップカバー３０を回転させることができると共に、低消費電力の要求を満足できる。
【００３０】
該フリップカバー３０が閉合位置にあるとき、該フリップカバー３０の一部の周縁によって、該係止部１４に係止されて、フリップカバー３０の逆転を確実に防止できる。
【００３１】
図１１には、本考案の自動回転式ごみ箱のフリップカバーの態様を示す。本考案のフリップカバー３０が引き上げ位置にあるとき、該第２固定部３４３によって、該当接部１６に接触され、該フリップカバー３０のさらなる回転が制止され、該フリップカバー３０の該本体１０に対する引き上げ角度を確実に制限できる。
【符号の説明】
【００３２】
１         ごみ箱のフリップカバー
１０１     周辺端部
１０       本体
１１       開口部
１１１     周縁
１２       第１枢設部
１３       第２枢設部
１４       係止部
１５       結合部
１６       当接部
１７       抜け出し防止部
２０       駆動機構
２１       プリント回路板
２２       モーター
２３       伝動装置
２３１     制御軸
２３２     歯部
３０       フリップカバー
３１       ラグ
３２       連動部
３３       第３枢設部
３３１     結合端
３４       固定部材
３４１     結合部
３４２     第１固定部
３４３     第２固定部
３４４     制限部
４０       保護キャップ
４１       凹面
２        ごみ箱胴部
３        電源
Ａ        回動軸
Ｂ        仮想軸
Ｌ        抵抗アーム
【図１】
0003159802.tif 000003
【図２】
0003159802.tif 000004
【図３】
0003159802.tif 000005
【図４】
0003159802.tif 000006
【図５】
0003159802.tif 000007
【図６】
0003159802.tif 000008
【図７】
0003159802.tif 000009
【図８】
0003159802.tif 000010
【図９】
0003159802.tif 000011
【図１０】
0003159802.tif 000012
【図１１】
0003159802.tif 000013